(57)【要約】      （修正有）【課題】衝撃を極力減衰させることが可能な外形を有し、簡単な方法で製造することが可能なエアバッグを提供する。【解決手段】エアバッグ材料からなる第１及び第２の層１１，１２と、第１及び第２の層１１，１２の間に設けられ、車両乗員２０を保護するために膨張可能な少なくとも１つのチャンバー１８と、第１及び第２の層１１，１２を各外周の少なくとも１つの部位に沿って互いに接続する少なくとも１つの継ぎ目２とを備える、車両の車両乗員拘束システム用エアバッグであり、エアバッグ１は、車両に装着されて膨張する際、継ぎ目２が車両の長手方向及び高さ方向によって規定される平面に対して傾斜或いは交差する平面に沿って延在するように構成される。また、第２の態様によれば、縫い目２は、エアバッグの主要延在方向に傾斜或いは交差する平面に沿って延在する。【選択図】図４Ｂ
2015231839.tif 000002
【特許請求の範囲】
【請求項１】
車両の車両乗員拘束システム用エアバッグであって、
エアバッグ材料からなる少なくとも１つの第１及び第２の層（１１，１２）と、
前記第１及び第２の層（１１，１２）の間に設けられ、車両乗員（２０）を保護するために膨張可能な少なくとも１つの膨張可能なチャンバー（１８）と、
前記第１及び第２の層（１１，１２）を各外周の部位に沿って互いに接続する第１の継ぎ目（２）と、
当該エアバッグ（１）の２つの層（１１，１２，１５，１６）を各外周の部位に沿って互いに接続する第２の継ぎ目（３）と、を備え、
前記第１及び第２の層（１１，１２）は、前記第１及び第２の継ぎ目（２，３）によって互いに接続され、
前記エアバッグ（１）が車両乗員（２０）と車両側構造部との間で展開されるように構成され、
前記エアバッグ（１）は、前記エアバッグ（１）が車両に装着されて膨張する際、前記第１の継ぎ目（２）が車両の長手方向及び高さ方向によって規定される平面に対して傾斜或いは横切る第１の平面に沿って延在し、前記第２の継ぎ目（３）が前記第１の平面に傾斜或いは横切って延在する第２の平面に沿って延在するように構成されているシートエアバッグ又はドアエアバッグであり、
前記第１の継ぎ目（２）が前記エアバッグ（１）の上部領域（１４）において延在し、前記第２の継ぎ目（３）が前記エアバッグ（１）の下部領域（１３）において延在し、前記第１の継ぎ目（２）が前記上部領域（１４）の周辺継ぎ目であり、又は、前記第１の継ぎ目（２）が前記エアバッグ（１）の下部領域（１３）において延在し、前記第２の継ぎ目（３）が前記エアバッグ（１）の上部領域（１４）において延在し、前記第１の継ぎ目（２）が前記エアバッグ（１）の下部領域の周辺継ぎ目であることを特徴とするエアバッグ。
【請求項２】
請求項１に記載のエアバッグであって、
前記エアバッグ（１）を、前記エアバッグ（１）を膨張させるためのガスジェネレータ（４）に接続する固定手段を備え、前記固定手段は、前記第１の継ぎ目（２）又は前記第２の継ぎ目（３）から所定距離を隔てて配置されており、前記第１又は第２の層（１１，１２）における少なくとも１つの開口（１１１，１１２）を備えていることを特徴とするエアバッグ。
【請求項３】
請求項１または２に記載のエアバッグであって、
前記エアバッグ（１）から周辺領域へガスが流出する流出開口（５）が、前記第１の継ぎ目（２）又は前記第２の継ぎ目（３）から所定距離を隔てて配置されていることを特徴とするエアバッグ。
【請求項４】
車両の車両乗員拘束システム用エアバッグであって、
エアバッグ材料からなる少なくとも１つの第１及び第２の層（１１，１２）と、
前記第１及び第２の層（１１，１２）の間に設けられ、車両乗員（２０）を保護するために膨張可能な少なくとも１つの膨張可能なチャンバー（１８）と、
前記第１及び第２の層（１１，１２）を各外周の部位に沿って互いに接続する第１の継ぎ目（２）と、
当該エアバッグ（１）の２つの層（１１，１２，１５，１６）を各外周の部位に沿って互いに接続する第２の継ぎ目（３）と、を備え、
前記第１及び第２の層（１１，１２）は、前記第１及び第２の継ぎ目（２，３）によって互いに接続され、
前記エアバッグ（１）は膨張状態で延在主要面に沿って延在し、
前記エアバッグ（１）は、サイドエアバッグとして形成され、前記第１の継ぎ目（２）は、前記延在主要面に対して傾斜或いは横切る第１の平面に沿って延在し、前記第２の継ぎ目（３）は、前記第１の平面に傾斜或いは横切って延在する第２の平面に沿って延在し、
前記第１の継ぎ目（２）が前記エアバッグ（１）の上部領域（１４）において延在し、前記第２の継ぎ目（３）が前記エアバッグ（１）の下部領域（１３）において延在し、前記第１の継ぎ目（２）が前記上部領域（１４）の周辺継ぎ目であり、又は、前記第１の継ぎ目（２）が前記エアバッグ（１）の下部領域（１３）において延在し、前記第２の継ぎ目（３）が前記エアバッグ（１）の上部領域（１４）において延在し、前記第１の継ぎ目（２）が前記エアバッグ（１）の下部領域の周辺継ぎ目であることを特徴とするエアバッグ。
【請求項５】
請求項４に記載のエアバッグであって、
前記エアバッグ（１）が装着され膨張するとき、前記延在主要面は、車両の長手方向及び高さ方向によって規定される平面に概ね平行に配置されることを特徴とするエアバッグ。
【請求項６】
請求項４に記載のエアバッグであって、
前記エアバッグ（１）が装着され膨張するとき、前記延在主要面は、車両のステアリングホイール及び／又は車両の助手席ダッシュボード表面が延在する平面に概ね平行に配置されることを特徴とするエアバッグ。
【請求項７】
請求項６に記載のエアバッグであって、
前記エアバッグ（１）は、運転者用或いは助手席乗員用であることを特徴とするエアバッグ。
【請求項８】
請求項１から７のうちのいずれかに記載のエアバッグを備えた車両。
【請求項９】
請求項８に記載の車両であって、
前記エアバッグ（１）は、車両シートの内部又は表面に、或いは車両側構造部の内部又は表面に配置されていることを特徴とする車両。
【請求項１０】
請求項４〜７のうちのいずれかに記載のエアバッグを備えた車両であって、
前記エアバッグ（１）は、車両のステアリングホイール内に、或いは助手席ダッシュボード内に配置されていることを特徴とする車両。
【請求項１１】
エアバッグ材料からなる少なくとも１つの第１及び第２の層（１１，１２）が第１及び第２の継ぎ目（２，３）により各外周の部位に沿って互いに接続されたエアバッグの製造方法であって、
前記第１及び第２の層は、前記エアバッグが車両に配置されたときに、シートエアバッグ又はドアエアバッグとしての前記エアバッグが車両乗員と車両側構造部との間に展開されるように設けられ、
前記第１の継ぎ目（２）が車両の長手方向及び高さ方向によって規定される平面に傾斜或いは横切る第１の平面に沿って延在し、前記第２の継ぎ目（３）が前記第１の平面に傾斜或いは横切って延在する第２の平面に沿って延在し、
前記第１の継ぎ目（２）が前記エアバッグ（１）の上部領域（１４）において延在し、前記第２の継ぎ目（３）が前記エアバッグの下部領域（１３）において延在し、前記第１の継ぎ目（２）が前記上部領域（１４）の周辺継ぎ目であり、又は、前記第１の継ぎ目（２）が前記エアバッグ（１）の下部領域（１３）において延在し、前記第２の継ぎ目（３）が前記エアバッグ（１）の上部領域（１４）において延在し、前記第１の継ぎ目（２）が前記エアバッグ（１）の下部領域の周辺継ぎ目であることを特徴とする方法。
【発明の詳細な説明】
【技術分野】
【０００１】
本発明は、請求項１にかかる、車両の車両乗員拘束システム用エアバッグ、請求項４にかかるエアバッグ、また請求項１１にかかる車両乗員拘束システムの製造方法に関するものである。
【０００２】
車両乗員拘束システムのエアバッグを、例えば繊維布であるエアバッグ材料からなる少なくとも２つの層によって製造する点が公知である。これら２つの層はそれぞれの周縁に沿って延在する継ぎ目によって互いに接続され、２つの層の間に少なくとも１つの膨張可能なチャンバーが形成される。
【発明の開示】
【発明が解決しようとする課題】
【０００３】
本発明によって解決される課題は、衝撃を極力減衰させることが可能な外形を有し、簡単な方法で製造することが可能なエアバッグを提供することである。
【課題を解決するための手段】
【０００４】
この課題は、請求項１にかかる特徴を有するエアバッグによって、請求項４にかかる特徴を有するエアバッグによって、また請求項１１にかかる特徴を有する方法によって解決される。本発明の改良が従属項に示されている。
【０００５】
従って、車両乗員拘束システム用エアバッグは、エアバッグ材料からなる第１及び第２の層と、前記第１及び第２の層の間に設けられ、車両乗員を保護するために膨張可能な少なくとも１つの膨張可能なチャンバーと、前記第１及び第２の層を各外周の部位に沿って互いに接続する少なくとも１つの継ぎ目と、を備え、当該エアバッグが車両乗員と車両側構造部との間で展開されるように構成される。
【０００６】
前記エアバッグは、当該エアバッグが車両に装着されて膨張されるとき、前記継ぎ目が車両の長手方向及び高さ方向によって規定される平面に対して傾斜或いは交差する平面に沿って延在するように構成される。
【０００７】
従って、継ぎ目は、２つの層（特に、少なくとも概ね合同のエアバッグブランク（未加工材））を互いに接続する周縁継ぎ目として構成され、車両乗員を保護するための膨張可能なチャンバーが、複数の層によって規定され、即ち２つの層の間に当該チャンバーが延在する。特に、この継ぎ目は、２つのエアバッグ層の一部に沿って延在するのみならず、各エアバッグ層の外周の全体に沿って延在することが可能であり、即ち継ぎ目を全面的に設けることが可能であり、これにより当該継ぎ目が膨張可能なチャンバーを完全に取り囲む。
【０００８】
本発明によれば、エアバッグの継ぎ目は、車両に装着された従来のエアバッグの周縁継ぎ目に傾斜或いは交差して延在し、（例えば、車両シートの表面又は内部に装着されたサイドエアバッグ、或いはカーテンエアバッグにおいて）車両の長手方向及び高さ方向によって規定される平面に当該継ぎ目が配置される。特に、継ぎ目が延在する平面は、車両の長手方向及び高さ方向によって構成される平面に対して、車両の高さ方向と平行に延在する軸まわりに回転されているが、車両の長手方向と平行に延在する軸まわりには傾斜してない。換言すれば、車両の長手方向ではなく、特に車両の高さ方向が、継ぎ目が延在する平面に対して平行に延在する。
【０００９】
この継ぎ目の外形（「輪郭」ともいう）によって、特にキャッチストラップのような追加の外形規定手段を用いることなく、エアバッグの外形を継ぎ目によって予め規定することができる。エアバッグは、通常、膨張状態においては周縁継ぎ目に沿って最も大きく拡張するので、エアバッグの少なくとも一部の有効厚みを、周縁継ぎ目（即ち、第１及び第２の層を互いに接続する継ぎ目）の位置によって予め規定することができる。
【００１０】
車両の長手方向及び高さ方向によって規定される平面と交差して継ぎ目が配置されるため、例えば車両の長手方向に関するエアバッグの拡張を制限するために追加の手段を設けることなく、車両の交差方向についてエアバッグの有効厚みを大きくすることができる。
【００１１】
本発明の別の態様によれば、継ぎ目は、車両のステアリングホイールのステアリングホイールリム、及び／又は車両の助手席ダッシュボード面が延在する平面に傾斜或いは交差して延在し、ここではエアバッグが、例えば車両のステアリングホイール内に一体状に組み込まれる。サイドエアバッグと同様に、ステアリングホイール又は助手席ダッシュボードと保護される車両乗員との間の運転者用又は助手席乗員用のエアバッグの有効厚みを、周縁継ぎ目の配置によって予め規定することができる。
【００１２】
本発明の１つの態様では、エアバッグは、第１及び第２の層を互いに接続する第１の継ぎ目を含むのみならず、エアバッグの複数の層を各外周の部位に沿って同様に互いに接続する少なくとも１つの別の継ぎ目を含む。特に第２の継ぎ目によって互いに接続される２つの層も第１及び第２の層とされ、これにより第１及び第２の層は、各外周の第１の部位に沿って第１の継ぎ目で互いに接続され、且つ各外周の第２の部位に沿って第２の継ぎ目で互いに接続される。
【００１３】
別の例では、第２の継ぎ目が一方では、第１及び第２の層とは異なり、且つ第１及び第２の層から例えば所定距離を隔てて配置された２つの別の層に接続される。これに対して、これら別の層をそれぞれ第１及び第２の層に接続することもできる。
【００１４】
第１及び第２の層は、膨張エアバッグの外形を規定するために、特に互いに所定の角度をなして配置される（当該層は、互いに傾斜又は交差して平面に沿って延在する）。エアバッグ層を接続する第１及び第２の継ぎ目（或いは、そのような継ぎ目が２つ以上の場合には、エアバッグ層を接続する全ての継ぎ目）がそれぞれ、例えば車両の長手方向及び高さ方向によって規定される平面に傾斜或いは交差する平面に沿って延在することができる。
【００１５】
一方で、勿論、別の継ぎ目（或いは、更なる複数の継ぎ目の少なくとも１つ）が、従来の方向、即ち車両の長手方向及び高さ方向によって規定される平面と平行に延在することもできる。
【００１６】
例えば、車両の長手方向及び高さ方向によって規定される平面に傾斜或いは交差する（或いは、車両のステアリングホイールのステアリングホイールリム、及び／又は車両の助手席ダッシュボード面が延在する平面と交差する）第１の平面に沿って第１の継ぎ目が延在し、また、車両の長手方向及び高さ方向によって規定される平面と平行に延在する（或いは、車両のステアリングホイールのステアリングホイールリム、及び／又は車両の助手席ダッシュボード面が延在する平面と平行な）第２の面に沿って第２の継ぎ目が延在する。
【００１７】
本発明の別の改良例では、第１及び第２の層が第１チャンバーを規定し、また２つの別の層がエアバッグの第２チャンバーを規定する。一方で、第１及び第２の層が２つの別の層とともに、エアバッグの（個別の）チャンバーを規定することも考えられる。特に、第２の継ぎ目によって互いに接続される層が別個の層ではなく、同様に第１及び第２の層であるとき、第１及び第２の層は、互いに傾斜或いは交差して配置された少なくとも２つの継ぎ目（第１の継ぎ目と、少なくとも１つの第２の継ぎ目）によって互いに接続されるが、それでも個別のチャンバーを形成する。
【００１８】
互いに傾斜或いは交差して延在する継ぎ目によって、いわばエアバッグの捩じれが生じ、このため、特に車両の長手方向及び高さ方向によって規定される平面に傾斜或いは交差して（或いは、車両のステアリングホイールのステアリングホイールリム、及び／又は車両の助手席ダッシュボード面が延在する平面と傾斜或いは交差して）延在する継ぎ目に沿ったエアバッグ外形は、残りのエアバッグに比べてより大きな有効厚みを有する。勿論、（特に、運転席用エアバッグの場合に）エアバッグが、その周縁継ぎ目が前述のように傾斜して配置された１つの膨張可能なチャンバーのみを含むこともできる。
【００１９】
本発明の別の態様では、第１及び第２の層が一体状に折り畳まれる１つの材料片（蝶形のバタフライ構造）として構成され、ここで材料片が互いに折り畳まれた部位は、それらの外周（折り畳まれた縁部の外側）に沿って継ぎ目で互いに接続される。一方で、最初は別体の材料片として構成された第１及び第２の層が、その後に継ぎ目によって互いに接続されることも考えられる。勿論、エアバッグが、継ぎ目によって互いに接続される（例えば、隣接する）２つ以上の層を有することもできる。
【００２０】
特に、第１及び第２の層は、更なる別個のエアバッグ層を設けることなく膨張可能な複数のチャンバーを規定することも可能であり、例えば第１及び第２の層の間に分離手段（例えば、キャッチストラップ）が配置される。
【００２１】
第１及び第２の層を互いに接続する継ぎ目は、特に縫合継ぎ目として構成される。一方で、この継ぎ目を線形の接着接続によって構成することもできる。
【００２２】
更に、本発明にかかるエアバッグは、当該エアバッグをエアバッグ膨張のためのガスジェネレータと接続するための固定手段を含むことができ、当該固定手段が継ぎ目から所定距離を隔てて配置される。特に、この固定手段は、第１又は第２の層における少なくとも１つの開口によって構成され、ここでは当該開口は、例えばエアバッグにガスジェネレータを固定するための固定ボルトが当該開口を通じて延在できるように構成される。
【００２３】
別の改良例によれば、エアバッグは、第１及び第２の層を互いに接続するための継ぎ目から所定距離を隔てて配置された流出開口を含み、当該流出開口を通じてエアバッグから周辺領域へとガスが流出可能となる。特に、この流出開口は、エアバッグ装着状態で、当該流出開口が前方進行方向を向くように配置される。
【００２４】
本発明にかかるエアバッグは、例えば当該エアバッグが車両シート内又は車両シート上、或いは車両ドア内又は車両ドア上に配置されるサイドエアバッグの形態として構成され、或いは特に車両のルーフレールに沿って配置され、且つ膨張状態で車両の長手面に沿って延在するカーテンエアバッグの形態として構成される。
【００２５】
第２の態様では、本発明は、エアバッグ材料からなる第１及び第２の層と、前記第１及び第２の層の間に設けられ、車両乗員保護のために膨張可能な少なくとも１つのチャンバーと、前記第１及び第２の層を各外周の部位に沿って互いに接続する少なくとも１つの継ぎ目と、を備え、当該エアバッグが膨張状態で延在主要面に沿って延在するエアバッグに関する。
【００２６】
本発明によれば、継ぎ目は、延在主要面に傾斜又は交差する所定の平面に沿って延在する。
【００２７】
従って、第１及び第２の層を接続する継ぎ目（周縁継ぎ目）は、従来のエアバッグの継ぎ目ように、エアバッグの主動作方向と垂直な平面に沿っては延在せずに、エアバッグの主動作方向に垂直でない平面に沿って延在する。エアバッグの「主動作方向」は、主にエアバッグの衝突エネルギーを吸収する方向であり、ここでは側面或いは前方の衝突時に、車両乗員に対して最も大きな荷重動作が作用すると予測される方向と主動作方向が合致する。
【００２８】
「主要延在方向」は、膨張エアバッグが最も大きく拡張する平面（方向）と解される。特に、複数のチャンバーを有するエアバッグでは、主要延在面は、最も容量の大きいチャンバーの最大拡張面によって規定される。例えば、サイドエアバッグ（シートエアバッグ、ドアエアバッグ又はカーテンエアバッグ）の主要延在面は、少なくとも殆どが車両の長手方向及び高さ方向によって規定される平面に沿って延在する。運転者用エアバッグの主要延在面は、例えば車両のステアリングホイールのステアリングホイールリムに概ね平行に延在する。
【００２９】
本発明の別の態様によれば、エアバッグは主要展開方向に沿って展開し、ここでは第１及び第２の層を各外周の部位に沿って互いに接続する継ぎ目は、主要展開方向と垂直には配置されない。エアバッグの「主要展開方向」は、エアバッグが展開の際のその拡張時に最も大きく変化する方向であると解される。例えば、車両シートに配置されるサイドエアバッグでは、その主要展開方向が、概ね前方進行方向を向くか、或いは車両シートのバックレストに垂直となることができる。運転席用エアバッグでは、主要展開方向が、例えばステアリングホイールリムの平面に垂直となる。
【００３０】
本発明は、車両乗員拘束装置を製造するための方法にも関し、その方法によれば、エアバッグは、エアバッグ材料からなる第１及び第２の層を含み、当該層が少なくとも各（外側の）周囲の部位に沿って継ぎ目で互いに接続されるように構成される。このエアバッグは、車両の長手方向及び高さ方向によって規定される平面に傾斜或いは交差する平面に沿って継ぎ目が延在するように車両に配置される。
【００３１】
特に、本発明は、所定のエアバッグを製造するための方法にも関し、この方法によれば、エアバッグ材料からなる第１及び第２の層は、少なくとも各外周の部位に沿った継ぎ目で互いに接続され、ここでは第１及び第２の層は、エアバッグを車両に装着する際に、エアバッグが車両乗員と車両側構成部との間で展開するように構成され、車両の長手方向及び高さ方向によって規定される平面に傾斜或いは交差する平面に沿って継ぎ目が延在する。
【００３２】
従って、第１及び第２のエアバッグ層は、エアバッグを製造するために各外周に沿って互いに接続される未加工材（ブランク）として構成される。当該未加工材は、（例えば、サイドエアバッグの形態の）エアバッグが従来のエアバッグのように車両に配置される（即ち、エアバッグが従来の継ぎ目の外形を有する）が、２つのエアバッグ層を互いに接続する継ぎ目が、車両の長手方向及び高さ方向を規定する平面に対して、及び／又はエアバッグの主要延在面に対して交差して延在するように（例えば、非合同状或いは非円形状に）構成される。
【００３３】
本発明は、図面が参照される典型的な実施形態によって以下に詳細に説明される。
【図面の簡単な説明】
【００３４】
【図１】図１は、従来のエアバッグを示す図である。
【図２】図２は、本発明の第１の典型的な実施形態にかかるエアバッグを示す図である。
【図３】図３は、本発明の第２の典型的な実施形態にかかるエアバッグを示す図である。
【図４Ａ】図４Ａは、本発明の第３の典型的な実施形態にかかるエアバッグを各視点から視た図である。
【図４Ｂ】図４Ｂは、本発明の第３の典型的な実施形態にかかるエアバッグを各視点から視た図である。
【図４Ｃ】図４Ｃは、本発明の第３の典型的な実施形態にかかるエアバッグを各視点から視た図である。
【図４Ｄ】図４Ｄは、本発明の第３の典型的な実施形態にかかるエアバッグを各視点から視た図である。
【図５】図５は、本発明の第４の典型的な実施形態にかかるエアバッグの線図である。
【図６Ａ】図６Ａは、本発明の第４の典型的な実施形態にかかるエアバッグを各視点から視た図である。
【図６Ｂ】図６Ｂは、本発明の第４の典型的な実施形態にかかるエアバッグを各視点から視た図である。
【図７】図７は、本発明の第５の典型的な実施形態にかかるエアバッグの側面図である。
【図８Ａ】図８Ａは、本発明の第６の典型的な実施形態にかかるエアバッグを示す図である。
【図８Ｂ】図８Ｂは、本発明の第６の典型的な実施形態にかかるエアバッグを示す図である。
【発明を実施するための形態】
【００３５】
図１は、従来のサイドエアバッグ１に関するものであり、当該エアバッグは、図示されている膨張状態では、車両側構造部１０と保護される車両乗員２０との間に延在している。車両乗員２０は、図示省略の車両シートに着座しており、ここではエアバッグ１が特に、車両シート内に、或いは車両側構造部の車両ドア内に一体状に組み込まれる。
【００３６】
この従来エアバッグ１は、第１のエアバッグ層１１及び第２のエアバッグ層１２を含み、これら２つのエアバッグ層は、所定の周縁継ぎ目２によって互いに接続されており、これによりこれら２つの層１１，１２の間に膨張可能なチャンバー（区画室）が形成される。このエアバッグ１は、車両の長手方向及び高さ方向によって規定される所定平面に沿って、即ちエアバッグの動作方向に垂直で且つ主要延在面に平行に配置された所定平面に沿って延在するように、車両に構成配置されている。
【００３７】
周縁継ぎ目２のこの外形（「輪郭」ともいう）によれば、膨張エアバッグは、車両の長軸方向に最も大きく拡張される。車両乗員と車両側構造部との間の、即ち車両を横切る方向に沿ったエアバッグの有効厚みを増やすためには、車両の長手方向についてのエアバッグの拡張を制限するキャッチストラップ又はダート（図示省略）を設けることができ、このため膨張エアバッグは車両を横切る方向についてより大きく拡張する。
【００３８】
図２には、本発明にかかるエアバッグ１が図示されており、当該エアバッグは図１のエアバッグのように、２つのエアバッグ層１１，１２を備えており、これらエアバッグ層は、各層の周縁部（外周の縁部）に沿って延在する周縁継ぎ目２によって互いに接続されている。
【００３９】
エアバッグが車両に装着された状態では、継ぎ目２は、図１に比べて、車両の長手方向及び高さ方向によって規定される所定平面に沿って延在するのではなく、この所定平面に対し角度αで傾斜して配置された平面に沿って延在している。図示の例では、継ぎ目２が延在する平面は、ある意味では車両の長手方向及び高さ方向によって規定される平面に対して、車両の高さ方向に平行な軸まわりに角度αで回転されている。
【００４０】
本発明は、勿論、従来の継ぎ目の外形（形状）に対して傾斜した継ぎ目の特定の配置に限定されるものではなく、原則的には、車両の長手方向及び高さ方向によって規定される平面に対して傾斜した如何なる継ぎ目の外形も採用することができる。例えば、角度αを０度から１８０度のうちの値に設定することができる。
【００４１】
これに加えて、継ぎ目２が延在する平面が、従来の継ぎ目が延在する平面に、即ち車両の長手方向及び高さ方向によって規定される平面に延在するように構成することも可能であり、車両の高さ方向の軸まわりの回転に加えて或いは代えて、車両の長手方向と平行に延在する軸まわりに、及び／又は車両を横切る方向と平行に延在する軸まわりに回転することもできる。
【００４２】
更に、従来の継ぎ目の平面がそのまわりに回転されることとなる回転点（回転位置）を、エアバッグの対称軸上に配置する必要はなく、その縁部或いはエアバッグの外部にも配置可能であり、これにより本発明は、概して第１及び第２の層の間の接続継ぎ目を有するエアバッグに関し、当該接続継ぎ目は、車両の長手方向及び高さ方向によって規定される平面に対して、何らの方法で傾斜或いは交差した平面に沿って延在する。
【００４３】
図３には、エアバッグの複数の層を互いに接続する１つの周縁継ぎ目よりも多くの周縁継ぎ目を設けることも可能である点が示されており、ここでは複数の周縁継ぎ目を異なる形態で配置することができる。図３の例では、エアバッグ１は、例えばエアバッグの膨張可能なチャンバーを構成する下部領域１３と、例えばエアバッグの更なる別のチャンバーを構成する上部領域１４を有する。一方で、上部及び下部領域１３，１４がエアバッグの共通のチャンバーを構成することもできる。
【００４４】
下部領域１３は、第１の周縁継ぎ目２に沿って互いに接続された第１及び第２の層１１，１２によって構成されている。この周縁継ぎ目２は、従来エアバッグのように、車両の長手方向及び高さ方向によって規定される平面に平行に延在している。
【００４５】
エアバッグ１の上部領域１４は、第２の周縁継ぎ目３によって互いに接続された更なる別の２つの層１５，１６によって構成されている。エアバッグ層１１及び１５がエアバッグ層１２及び１６と互いに一体状に構成されることも可能であり、即ちこれらの層が互いに所定の連続した層を形成する。
【００４６】
第２の周縁継ぎ目３は、車両の長手方向及び高さ方向によって規定される平面に対して、従って第１の周縁継ぎ目２に対して、角度αで回転した平面に沿って延在しており、これによりエアバッグの上部領域１４が、言うなれば下部のエアバッグ部１３に対して捩じられている。
【００４７】
図１から図３に記載の原理を、類似の方法で、例えばカーテン式、運転席用（運転者用）、助手席用、或いは膝用のエアバッグのような他の種類のエアバッグに適用することもできる。
【００４８】
図４Ａから図４Ｄには、本発明にかかるエアバッグ１を種々の視点から視た図が、図３の原理に基づいて示されている。具体的には、図４Ａには、車両乗員２０と車両側構造部１０との間に延在する膨張したサイドエアバッグ１の上部領域１４の断面構造が示されている。図４Ｂには、エアバッグ１を車両前方から視た図が示されており、図４Ｃには、車両側構造部１０から視た側面視が示されており、また図４Ｄには、エアバッグを上方から視た図が示されている。
【００４９】
エアバッグ１は、同様に下部領域１３を備えており、ここでは下部領域１３のエアバッグ層１１，１２は、第１の周縁継ぎ目２に沿って互いに接続されており、また上部領域１４のエアバッグ層１５及び１６は、第２の周縁継ぎ目３に沿って互いに接続されている。装着状態のエアバッグでは、上部領域１４は、車両のヘッドライナーに向かい（対向し）、また特には、保護される車両乗員が着座する車両シートのバックレストに沿って延在している。
【００５０】
第１の周縁継ぎ目２は、車両の長手方向及び高さ方向によって規定される所定平面に沿って配置され、その一方で第２の周縁継ぎ目３は、車両の長手方向及び高さ方向によって規定される平面に対して交差して延在する所定平面に沿って延在している。特に、第２の周縁継ぎ目３は、車両シートのバックレストに概ね平行に位置する平面に沿って延在している。
【００５１】
図４Ａに示されるように、膨張可能な上部チャンバー１７は、上部領域１４のエアバッグ層１５及び１６によって規定され、当該エアバッグ層は、周縁継ぎ目３によって互いに接続されている。上部チャンバー１７の領域には、ガスジェネレータ（「ガス発生器」ともいう）４が配置されており、当該ガスジェネレータは、エアバッグ層１５の開口を通じて延在する取り付け固定ボルト（図示省略）によって、車両側構造部（特に、車両シートのバックレスト）に接続されている。
【００５２】
更に、エアバッグの上部チャンバー１７の領域には、流出開口５が設けられており、ガスは当該流出開口を通じて上部チャンバーから周辺領域へと流出できる。
【００５３】
流出開口５は、車両前方に対向して、従って周縁継ぎ目３から所定距離を隔ててエアバッグ層１６に配置されている。
【００５４】
エアバッグの上部領域１４、即ち上部チャンバー１７は、分離継ぎ目５によってエアバッグの下部領域１３から分離されており、これにより第１の周縁継ぎ目２で互いに接続されたエアバッグ層１１，１２によって、更なる別の下部チャンバー１８が規定されている。第１及び第２の周縁継ぎ目２，３が異なる配置態様であるため、上部チャンバー１７が下部チャンバー１８に対して回転されている。
【００５５】
エアバッグ１の膨張状態では、周縁継ぎ目３の外形が車両の長手方向と交差する、即ちエアバッグの動作方向の平面に沿って延在しているため、上部チャンバー１７は、車両の長手方向及び高さ方向によって規定される所定平面に沿って周縁継ぎ目２が延在している下部チャンバー１８よりも厚みが大きくなる。継ぎ目２の外形によれば、下部チャンバー１８は車両の長手方向に最も大きく拡張する。
【００５６】
エアバッグの上部領域１４を下部領域１３から分離する継ぎ目５が任意に設けられる。エアバッグの上部及び下部領域が共通のチャンバーを構成することも考えられる。例えば継ぎ目５を中断することによって形成されるオーバーフロー手段によって、上部チャンバー１７が下部チャンバー１８と流通可能な状態で接続される構成が少なくとも考えられる。
【００５７】
エアバッグの上部領域がエアバッグの下部領域に対して回転される原理が図５に示されており、この図には相対的に回転された２つの継ぎ目２，３のみが示されている。
【００５８】
図６Ａ及び６Ｂには、そのようなエアバッグにおける側面視及び上面視がそれぞれ示されており、その下部領域１３には、車両の長手方向及び高さ方向によって規定される平面に対して交差する平面に沿って延在する第１の周縁継ぎ目２が設けられており、またその上部領域１４には、車両の長手方向及び高さ方向によって規定される平面に沿って延在する第２の周縁継ぎ目３が設けられている。エアバッグの上部及び下部領域１３，１４は、特に共通のチャンバーを形成している。
【００５９】
図７は、本発明にかかる、別の典型的な実施形態のエアバッグ１に関するものである。このエアバッグ１は、１つの外周の周縁継ぎ目２に沿って互いに接続された２つのエアバッグ層１１，１２を備えており、これによりエアバッグの１つのチャンバーが２つのエアバッグ層１１，１２及び周縁継ぎ目２によって規定されている。
【００６０】
勿論、エアバッグ層１１，１２及び外周の周縁継ぎ目２が、エアバッグの複数のチャンバーを規定することも考えられ、例えば２つの層１１，１２の間に、例えばストラップ又はダートの形態の分離手段が設けられ、これにより２つのエアバッグ層１１，１２の間に、膨張可能な複数のチャンバーが形成される。図７の実施例によれば、エアバッグ１の膨張状態では、外周の周縁継ぎ目２は、車両の長手方向及び高さ方向によって規定される平面と交差し、且つ保護される車両乗員が着座する車両シートのバックレストに平行な所定平面に沿って延在する。
【００６１】
図８Ａ及び８Ｂは、図７の典型的な実施形態の変更例に関するものであり、ここではエアバッグを通じた部位が示されている。このエアバッグ１は、第１のエアバッグ層１１に２つの開口１１１，１１２の形態の固定手段を備えており、当該固定手段は、エアバッグ１をガスジェネレータ（図示省略）に接続するための機能を果たす。開口１１１，１１２の領域では、例えばエアバッグ材料によって製造された補強層１１３が第１の層１１に接続されている。
【００６２】
図８Ａに示されるように、開口１１１，１１２は、エアバッグの装着状態に基づいた場合、車両の高さ方向に関し一方が他方の上方に配置されている。一方でで、図８Ｂの実施例では、開口１１１，１１２及び補強層１１３は回転され、即ち車両の高さ方向に傾斜して延在する軸に沿って配置されている。
【００６３】
上述の種々の典型的な実施形態を構成する複数の要素は、互いに組み合わせて使用できることは勿論であり、ガスジェネレータをその他の典型的な実施形態の複数の要素に固定するのに、例えば図８Ａ及び８Ｂに示された構造を用いることもできる。
【００６４】
本発明は、「車両の車両乗員拘束システム用エアバッグであって、エアバッグ材料からなる少なくとも１つの第１及び第２の層（１１，１２）と、前記第１及び第２の層（１１，１２）の間に設けられ、車両乗員（２０）を保護するために膨張可能な少なくとも１つの膨張可能なチャンバー（１８）と、前記第１及び第２の層（１１，１２）を各外周の部位に沿って互いに接続する少なくとも１つの継ぎ目（２）とを備え、当該エアバッグが車両乗員と車両側構造部との間で展開されるように構成され、前記エアバッグ（１）は、当該エアバッグが車両に装着されて膨張する際、前記継ぎ目（２）が車両の長手方向及び高さ方向によって規定される平面に対して傾斜或いは交差する平面に沿って延在するように構成されていることを特徴とするエアバッグ。」という態様（態様１）を取り得る。
また、本発明は、「態様１に記載のエアバッグであって、当該エアバッグが装着され膨張するとき、車両の高さ方向は、少なくとも前記継ぎ目（２）が延在する平面に概ね平行に延在することを特徴とするエアバッグ。」という態様（態様２）を取り得る。
また、本発明は、「態様１又は２に記載のエアバッグであって、前記継ぎ目（２）は、前記第１及び第２の層（１１，１２）を各外周の部位に沿って互いに接続する第１の継ぎ目であり、前記エアバッグ（１）は、当該エアバッグの２つの層（１１，１２，１５，１６）を各外周の部位に沿って互いに接続する第２の継ぎ目（３）を含み、前記第１の継ぎ目（２）が第１の平面に沿って延在し、前記第２の継ぎ目（３）が第２の平面に沿って延在し、前記第２の平面が前記第１の平面に傾斜或いは交差して延在していることを特徴とするエアバッグ。」という態様（態様３）を取り得る。
また、本発明は、「態様３に記載のエアバッグであって、前記第２の継ぎ目（３）によって接続された２つの層が前記第１及び第２の層（１１，１２）であり、これにより前記第１及び第２の層（１１，１２）は、各外周の部位のうち第１の部位沿いが前記第１の継ぎ目（２）によって、また第２の部位沿いが前記第２の継ぎ目（３）によって、互いに接続されていることを特徴とするエアバッグ。」という態様（態様４）を取り得る。
また、本発明は、「態様４に記載のエアバッグであって、前記第２の継ぎ目（３）によって接続された２つの層は、前記第１及び第２の層とは別のエアバッグ層（１５，１６）であることを特徴とするエアバッグ。」という態様（態様５）を取り得る。
また、本発明は、「態様３から５のうちのいずれかに記載のエアバッグであって、前記第１及び第２の層（１１，１２）が第１の膨張可能なチャンバー（１８）を規定し、前記第２の継ぎ目（３）によって互いに接続された２つの層（１５，１６）がエアバッグの第２のチャンバー（１７）を規定していることを特徴とするエアバッグ。」という態様（態様６）を取り得る。
また、本発明は、「態様３から５のうちのいずれかに記載のエアバッグであって、前記第１及び第２の層（１１，１２）と、前記第２の継ぎ目（３）によって互いに接続された前記２つの層（１５，１６）は、連携してエアバッグの独立したチャンバーを規定していることを特徴とするエアバッグ。」という態様（態様７）を取り得る。
また、本発明は、「態様３から７のうちのいずれかに記載のエアバッグであって、車両の長手方向及び高さ方向によって規定される平面に対し、前記第１の面が交差し、前記第２の面が平行に延在していることを特徴とするエアバッグ。」という態様（態様８）を取り得る。
また、本発明は、「態様１から５のうちのいずれかに記載のエアバッグであって、前記第１及び第２の層（１１，１２）は、膨張可能な複数のチャンバーを規定していることを特徴とするエアバッグ。」という態様（態様９）を取り得る。
また、本発明は、「態様１から９のうちのいずれかに記載のエアバッグであって、前記第１及び第２の層（１１，１２）は、一体状に折り畳まれる材料片によって構成されていることを特徴とするエアバッグ。」という態様（態様１０）を取り得る。
また、本発明は、「態様１又は２に記載のエアバッグであって、前記継ぎ目（２）は、前記第１及び第２の層（１１，１２）のそれぞれの全周に沿って延在していることを特徴とするエアバッグ。」という態様（態様１１）を取り得る。
また、本発明は、「態様１から１１のうちのいずれかに記載のエアバッグであって、エアバッグ（１）を、当該エアバッグを膨張させるためのガスジェネレータ（４）に接続する固定手段を備え、前記固定手段が前記継ぎ目（２）から所定距離を隔てて配置されていることを特徴とするエアバッグ。」という態様（態様１２）を取り得る。
また、本発明は、「態様１２に記載のエアバッグであって、前記固定手段は、前記第１又は第２の層（１１，１２）における少なくとも１つの開口（１１１，１１２）を備えていることを特徴とするエアバッグ。」という態様（態様１３）を取り得る。
また、本発明は、「態様１から１３のうちのいずれかに記載のエアバッグであって、前記エアバッグ（１）から周辺領域へガスが流出する流出開口（５）が、前記継ぎ目（２）から所定距離を隔てて配置されていることを特徴とするエアバッグ。」という態様（態様１４）を取り得る。
また、本発明は、「特に態様１から１４のうちのいずれかに記載の、車両の車両乗員拘束システム用エアバッグであって、エアバッグ材料からなる少なくとも１つの第１及び第２の層（１１，１２）と、前記第１及び第２の層（１１，１２）の間に設けられ、車両乗員（２０）を保護するために膨張可能な少なくとも１つの膨張可能なチャンバー（１８）と、前記第１及び第２の層（１１，１２）を各外周の部位に沿って互いに接続する少なくとも１つの継ぎ目（２）とを備え、当該エアバッグは膨張状態で延在主要面に沿って延在し、前記継ぎ目（２）は、前記延在主要面に対して傾斜或いは交差する平面に沿って延在していることを特徴とするエアバッグ。」という態様（態様１５）を取り得る。
また、本発明は、「態様１５に記載のエアバッグであって、前記エアバッグが装着され膨張するとき、前記延在主要面は、車両の長手方向及び高さ方向によって規定される平面に概ね平行に配置されることを特徴とするエアバッグ。」という態様（態様１６）を取り得る。
また、本発明は、「態様１６に記載のエアバッグであって、当該エアバッグは、車両の車両シートに隣接して配置されるサイドエアバッグ、或いはカーテンエアバッグであることを特徴とするエアバッグ。」という態様（態様１７）を取り得る。
また、本発明は、「態様１５に記載のエアバッグであって、前記エアバッグが装着され膨張するとき、前記延在主要面は、車両のステアリングホイール及び／又は車両の助手席ダッシュボード表面が延在する平面に概ね平行に配置されることを特徴とするエアバッグ。」という態様（態様１８）を取り得る。
また、本発明は、「態様１８に記載のエアバッグであって、前記エアバッグは、運転者用或いは助手席乗員用であることを特徴とするエアバッグ。」という態様（態様１９）を取り得る。
また、本発明は、「態様１から１９のうちのいずれかに記載のエアバッグを備えた車両。」という態様（態様２０）を取り得る。
また、本発明は、「態様２０に記載の車両であって、前記エアバッグ（１）は、車両シートの内部又は表面に、或いは車両側構造部の内部又は表面に配置されていることを特徴とする車両。」という態様（態様２１）を取り得る。
また、本発明は、「態様１５に係る態様２０に記載の車両であって、前記エアバッグ（１）は、車両のステアリングホイール内に、或いは助手席ダッシュボード内に配置されていることを特徴とする車両。」という態様（態様２２）を取り得る。
また、本発明は、「エアバッグ材料からなる第１及び第２の層（１１，１２）が継ぎ目（２）により少なくとも各外周の部位に沿って互いに接続されたエアバッグの製造方法であって、前記第１及び第２の層は、前記エアバッグが車両に配置されたときに当該エアバッグが車両乗員と車両側構造部との間に展開されるように設けられ、前記継ぎ目（２）は、車両の長手方向及び高さ方向によって規定される平面に傾斜或いは交差する平面に沿って延在することを特徴とする方法。」という態様（態様２３）を取り得る。
【符号の説明】
【００６５】
１  サイドエアバッグ
２，３  継ぎ目
４  ガスジェネレータ
５  流出開口
１０  車両側構造部
１１  第１の層
１２  第２の層
１３  下部領域
１４  上部領域
１５，１６  別の層
１７  上部チャンバー
１８  下部チャンバー
２０  車両乗員
１１１，１１２  開口
１１３  補強層
【図１】
2015231839.tif 000003
【図２】
2015231839.tif 000004
【図３】
2015231839.tif 000005
【図４Ａ】
2015231839.tif 000006
【図４Ｂ】
2015231839.tif 000007
【図４Ｃ】
2015231839.tif 000008
【図４Ｄ】
2015231839.tif 000009
【図５】
2015231839.tif 000010
【図６Ａ】
2015231839.tif 000011
【図６Ｂ】
2015231839.tif 000012
【図７】
2015231839.tif 000013
【図８Ａ】
2015231839.tif 000014
【図８Ｂ】
2015231839.tif 000015
【手続補正書】
【提出日】平成27年9月4日(2015.9.4)
【手続補正１】
【補正対象書類名】明細書
【補正対象項目名】０００１
【補正方法】変更
【補正の内容】
【０００１】
本発明は、請求項１にかかる車両の車両乗員拘束システム用エアバッグ、また請求項１６にかかる車両乗員拘束システムの製造方法に関するものである。
【手続補正２】
【補正対象書類名】明細書
【補正対象項目名】０００４
【補正方法】変更
【補正の内容】
【０００４】
この課題は、請求項１にかかる特徴を有するエアバッグによって、また請求項１６にかかる特徴を有する方法によって解決される。本発明の改良が従属項に示されている。
【手続補正３】
【補正対象書類名】特許請求の範囲
【補正対象項目名】全文
【補正方法】変更
【補正の内容】
【特許請求の範囲】
【請求項１】
車両の車両乗員拘束システム用エアバッグであって、
エアバッグ材料からなる少なくとも１つの第１及び第２の層（１１，１２）と、
前記第１及び第２の層（１１，１２）の間に設けられ、車両乗員（２０）を保護するために膨張可能な少なくとも１つの膨張可能なチャンバー（１８）と、
前記第１及び第２の層（１１，１２）を各外周の部位に沿って互いに接続する少なくとも１つまたは複数の継ぎ目（２）と、を備え、
前記エアバッグ（１）が車両乗員と車両側構造部との間で展開されるように構成され、
前記エアバッグ（１）は、前記エアバッグ（１）が車両に装着されて膨張する際、前記少なくとも１つの継ぎ目（２）の全て又は前記複数の継ぎ目（２）それぞれの全てが車両の長手方向及び高さ方向によって規定される平面に対して傾斜或いは交差する平面に沿って延在するように構成されているシートエアバッグまたはドアエアバッグであり、
前記少なくとも１つの継ぎ目（２）は、前記エアバッグの周縁継ぎ目のみであり、又は、前記複数の継ぎ目（２）は、前記エアバッグの周縁継ぎ目のみであることを特徴とするエアバッグ。
【請求項２】
請求項１に記載のエアバッグであって、
前記エアバッグが装着され膨張する際、車両の高さ方向は、少なくとも前記継ぎ目（２）が延在する平面に概ね平行に延在することを特徴とするエアバッグ。
【請求項３】
請求項１又は２に記載のエアバッグであって、
前記継ぎ目（２）は、前記第１及び第２の層（１１，１２）を各外周の部位に沿って互いに接続する第１の継ぎ目であり、
前記エアバッグ（１）は、前記エアバッグの２つの層（１１，１２，１５，１６）を各外周の部位に沿って互いに接続する第２の継ぎ目（３）を含み、
前記第１の継ぎ目（２）が第１の平面に沿って延在し、前記第２の継ぎ目（３）が第２の平面に沿って延在し、前記第２の平面が前記第１の平面に傾斜或いは交差して延在していることを特徴とするエアバッグ。
【請求項４】
請求項３に記載のエアバッグであって、
前記第２の継ぎ目（３）によって接続された２つの層が前記第１及び第２の層（１１，１２）であり、これにより前記第１及び第２の層（１１，１２）は、各外周の部位のうちの第１の部位沿いが前記第１の継ぎ目（２）によって、また第２の部位沿いが前記第２の継ぎ目（３）によって、互いに接続されていることを特徴とするエアバッグ。
【請求項５】
請求項４に記載のエアバッグであって、
前記第２の継ぎ目（３）によって接続された２つの層は、前記第１及び第２の層とは別のエアバッグ層（１５，１６）であることを特徴とするエアバッグ。
【請求項６】
請求項３から５のうちのいずれかに記載のエアバッグであって、
前記第１及び第２の層（１１，１２）が第１の膨張可能なチャンバー（１８）を規定し、前記第２の継ぎ目（３）によって互いに接続された２つの層（１５，１６）が前記エアバッグの第２のチャンバー（１７）を規定していることを特徴とするエアバッグ。
【請求項７】
請求項３から５のうちのいずれかに記載のエアバッグであって、
前記第１及び第２の層（１１，１２）と、前記第２の継ぎ目（３）によって互いに接続された２つの層（１５，１６）は、連携して前記エアバッグの独立したチャンバーを規定していることを特徴とするエアバッグ。
【請求項８】
請求項３から７のうちのいずれかに記載のエアバッグであって、
車両の長手方向及び高さ方向によって規定される平面に対し、前記第１の面が交差し、前記第２の面が平行に延在していることを特徴とするエアバッグ。
【請求項９】
請求項１から５のうちのいずれかに記載のエアバッグであって、
前記第１及び第２の層（１１，１２）は、膨張可能な複数のチャンバーを規定していることを特徴とするエアバッグ。
【請求項１０】
請求項１から９のうちのいずれかに記載のエアバッグであって、
前記第１及び第２の層（１１，１２）は、一体状に折り畳まれる材料片によって構成されていることを特徴とするエアバッグ。
【請求項１１】
請求項１又は２に記載のエアバッグであって、
前記継ぎ目（２）は、前記第１及び第２の層（１１，１２）のそれぞれの全周に沿って延在していることを特徴とするエアバッグ。
【請求項１２】
請求項１から１１のうちのいずれかに記載のエアバッグであって、
前記エアバッグ（１）を、前記エアバッグ（１）を膨張させるためのガスジェネレータ（４）に接続する固定手段を備え、前記固定手段は、前記継ぎ目（２）から所定距離を隔てて配置されていることを特徴とするエアバッグ。
【請求項１３】
請求項１２に記載のエアバッグであって、
前記固定手段は、前記第１又は第２の層（１１，１２）における少なくとも１つの開口（１１１，１１２）を備えていることを特徴とするエアバッグ。
【請求項１４】
請求項１から１３のうちのいずれかに記載のエアバッグであって、
前記エアバッグ（１）から周辺領域へガスが流出する流出開口（５）が、前記継ぎ目（２）から所定距離を隔てて配置されていることを特徴とするエアバッグ。
【請求項１５】
請求項１から１４のうちのいずれかに記載のエアバッグを備えた車両。
【請求項１６】
エアバッグ材料からなる第１及び第２の層（１１，１２）が少なくとも１つ又は複数の継ぎ目（２）により少なくとも各外周の部位に沿って互いに接続されたエアバッグの製造方法であって、
前記第１及び第２の層（１１，１２）は、前記エアバッグが車両に配置されたときに前記エアバッグが車両乗員と車両側構造部との間に展開されるように設けられ、
前記少なくとも１つの継ぎ目（２）の全て又は前記複数の継ぎ目（２）それぞれの全てが、車両の長手方向及び高さ方向によって規定される平面に傾斜或いは交差する平面に沿って延在するように設けられ、
前記少なくとも１つの継ぎ目（２）は、前記エアバッグの周縁継ぎ目のみであり、又は、前記複数の継ぎ目（２）は、前記エアバッグの周縁継ぎ目のみであることを特徴とする方法。